(57)【要約】【課題】媒体の視認性を向上できる媒体加熱装置及び液体吐出装置を提供すること。【解決手段】媒体加熱装置１１は、液体を吐出された状態で搬送される媒体を加熱する媒体加熱装置であって、液体を吐出された状態で搬送される媒体を支持する支持部３２と、前記媒体のうち液体を吐出された第１面を加熱する第１ヒーター３３と、前記媒体のうち、前記第１面と反対の面である第２面を加熱する第２ヒーター３４と、を備え、前記第２ヒーター３４により加熱される領域は、前記第１ヒーター３３に対向する領域よりも下流の領域を含む。【選択図】図３
2020121498.tif 000002
【特許請求の範囲】
【請求項１】
支持面を有し、液体を吐出された状態で搬送される媒体を支持する支持部と、
前記媒体のうち液体を吐出された第１面を加熱する第１ヒーターと、
前記媒体のうち、前記第１面と反対の面である第２面を加熱する第２ヒーターと、を備え、
前記第２ヒーターにより加熱される領域は、前記第１ヒーターに対向する領域よりも下流の領域を含むことを特徴とする媒体加熱装置。
【請求項２】
第１ヒーターの加熱設定温度である第１加熱設定温度は、前記第２ヒーターの加熱設定温度である第２加熱設定温度より高いことを特徴とする請求項１に記載の媒体加熱装置。
【請求項３】
前記第２ヒーターにより加熱される領域は、前記第１ヒーターのピーク位置よりも下流に位置することを特徴とする請求項１又は２に記載の媒体加熱装置。
【請求項４】
前記第２ヒーターにより加熱される領域は、前記第１ヒーターにより加熱される領域と重なることを特徴とする請求項１から３のうち何れか一項に記載の媒体加熱装置。
【請求項５】
前記第１ヒーターは輻射ヒーターであることを特徴とする請求項１から請求項４のうち何れか一項に記載の媒体加熱装置。
【請求項６】
支持面を有し、液体を吐出された状態で搬送される媒体を支持する支持部と、
前記媒体のうち液体を吐出された第１面を加熱する第１ヒーターと、
前記媒体のうち、前記第１面と反対の面である第２面を加熱する第２ヒーターと、を備え、
前記第２ヒーターにより加熱される領域は、前記第１ヒーターに対向する領域よりも下流の領域を含むことを特徴とする液体吐出装置。
【発明の詳細な説明】
【技術分野】
【０００１】
本発明は、媒体加熱装置及び液体吐出装置に関する。
【背景技術】
【０００２】
特許文献１には、液体を吐出された状態で搬送される媒体を支持する支持部と、媒体のうち液体を吐出された面を輻射熱により加熱するヒーターと、を備える媒体加熱装置が記載されている。
【先行技術文献】
【特許文献】
【０００３】
【特許文献１】特開２００１−８８２７６号公報
【発明の概要】
【発明が解決しようとする課題】
【０００４】
こうした媒体加熱装置では、液体を吐出された媒体を乾燥するために、媒体にダメージを与えない範囲の高い温度で、媒体を長時間にわたり加熱することが望ましい。一方で、ヒーターにより加熱される領域の広さには限りがあるから、媒体の搬送される速度が高くなると、媒体の搬送される方向にヒーターの大型化が必要になる。結果として、ヒーターが大型化される分だけ、媒体加熱装置の外部から媒体を視認できる範囲が狭まってしまう。特に、ヒーターで加熱された媒体を視認できる範囲が狭まることは、液体を吐出された媒体の乾燥具合を外部から把握しがたくするおそれがある。
【課題を解決するための手段】
【０００５】
上記課題を解決する媒体加熱装置は、支持面を有し、液体を吐出された状態で搬送される媒体を支持する支持部と、前記媒体のうち液体を吐出された第１面を加熱する第１ヒーターと、前記媒体のうち、前記第１面と反対の面である第２面を加熱する第２ヒーターと、を備え、前記第２ヒーターにより加熱される領域は、前記第１ヒーターに対向する領域よりも下流の領域を含む。
【０００６】
上記課題を解決する液体吐出装置は、支持面を有し、液体を吐出された状態で搬送される媒体を支持する支持部と、前記媒体のうち液体を吐出された第１面を加熱する第１ヒーターと、前記媒体のうち、前記第１面と反対の面である第２面を加熱する第２ヒーターと、を備え、前記第２ヒーターにより加熱される領域は、前記第１ヒーターに対向する領域よりも下流の領域を含む。
【図面の簡単な説明】
【０００７】
【図１】媒体加熱装置を備える液体吐出装置の一実施形態を模式的に示す側面図。
【図２】ヒーターにより加熱された媒体の対象部分での温度遷移を示すグラフ。
【図３】図１に示した媒体加熱装置の部分拡大図。
【図４】媒体加熱装置の変更例を模式的に示す側面図。
【発明を実施するための形態】
【０００８】
以下、媒体加熱装置を備える液体吐出装置の一実施形態について図を参照しながら説明する。液体吐出装置は、例えば、用紙等の媒体に液体の一例であるインクを吐出することによって、文字、写真等の画像を記録するインクジェット式のプリンターである。
【０００９】
図１に示すように、液体吐出装置１１は、搬送される媒体９９に液体を吐出する吐出部２８を備える。液体吐出装置１１は、搬送される媒体９９を加熱する媒体加熱装置３１を備える。本実施形態の媒体加熱装置３１は、吐出部２８から液体を吐出された媒体９９を乾燥させる。
【００１０】
液体吐出装置１１は、筐体１２を備える。液体吐出装置１１は、筐体１２を支持する基台１３を備える。本実施形態においては、基台１３の上方に筐体１２が位置する。
液体吐出装置１１は、媒体９９を搬送する搬送部１４を備える。搬送部１４は、筐体１２内に設けられる。本実施形態の搬送部１４は、筐体１２外に載置された媒体９９を搬送する。
【００１１】
液体吐出装置１１は、媒体９９が巻き重ねられたロール体１００を載置可能な載置部１６を備えてもよい。載置部１６は、例えば基台１３に取り付けられる。載置部１６は、液体が吐出される前の媒体９９が巻き重ねられたロール体１００を回転可能な状態で支持する。搬送部１４が駆動すると、ロール体１００から媒体９９が繰り出される。
【００１２】
なお、液体吐出装置１１は、液体吐出装置１１が設置される設置面に載置されたロール体１００から繰り出される媒体９９に液体を吐出するように構成されてもよい。また、液体吐出装置１１は、液体吐出装置１１とは別の装置から繰り出される媒体９９に液体を吐出するように構成されてもよい。液体吐出装置１１は、ロール体１００から繰り出される媒体９９に液体を吐出する構成に限らない。例えば、液体吐出装置１１は、ファンホールド紙のような長尺の媒体９９に液体を吐出する構成であってもよいし、媒体９９としての単票紙に液体を吐出する構成であってもよい。
【００１３】
液体吐出装置１１は、媒体９９を巻き取る巻取部１７を備えてもよい。巻取部１７は、例えば基台１３に取り付けられる。巻取部１７は、液体を吐出された媒体９９をロール体１００として巻き取る。なお、液体吐出装置１１は、液体を吐出された媒体９９を液体吐出装置１１とは別の装置に搬送する構成であってもよい。液体吐出装置１１は、液体を吐出された媒体９９を液体吐出装置１１とは別の装置に巻き取らせる構成であってもよい。
【００１４】
液体吐出装置１１は、媒体９９にテンションを付与するテンションバー１８を備えてもよい。巻取部１７における媒体９９の送り量と、搬送部１４における媒体９９の送り量との差により、巻取部１７と搬送部１４との間の媒体９９の長さは変わる。テンションバー１８は、巻取部１７と搬送部１４との間の媒体９９の長さに応じて変位する。このように、媒体９９に接触するテンションバー１８が変位することによって媒体９９に適切なテンションが付与される。テンションバー１８が媒体９９にテンションを付与することにより、媒体９９に対して精度よく液体を着弾させることができる。本実施形態のテンションバー１８は、媒体９９のうち媒体加熱装置３１を通り過ぎた部分に接触する。
【００１５】
テンションバー１８は、例えば基台１３に取り付けられる。テンションバー１８は、基台１３に対して変位可能に取り付けられてもよい。こうすると、テンションバー１８を変位させることによって、媒体９９に付与するテンションの大きさを調節できる。
【００１６】
本実施形態の液体吐出装置１１は、第１支持台２１及び第２支持台２２を備える。第１支持台２１及び第２支持台２２は、搬送部１４によって搬送される媒体９９を支持する。第１支持台２１及び第２支持台２２は、媒体９９の搬送される方向に、第１支持台２１、第２支持台２２の順に位置する。第２支持台２２は、筐体１２内に位置する。
【００１７】
吐出部２８は、筐体１２内に位置する。本実施形態の吐出部２８は、第２支持台２２と対向している。吐出部２８は、第２支持台２２に支持され、かつ、吐出部２８と対向している媒体９９の第１面に、液体を吐出する。
【００１８】
本実施形態の液体吐出装置１１は、吐出部２８を搭載するキャリッジ２９を備える。キャリッジ２９は、搬送される媒体９９に対して走査する。すなわち、本実施形態の液体吐出装置１１は、吐出部２８が媒体９９に対して走査するシリアルプリンターである。液体吐出装置１１は、吐出部２８が長尺に設けられるラインプリンターでもよい。
【００１９】
本実施形態の搬送部１４は、第１ローラー２５及び第２ローラー２６を備える。第１ローラー２５及び第２ローラー２６は、媒体９９を挟み込む状態で回転することにより媒体９９を搬送する。第１ローラー２５及び第２ローラー２６は、第１支持台２１と第２支持台２２との間で媒体９９を挟み込む。
【００２０】
次に、媒体加熱装置３１について説明する。
媒体加熱装置３１は、媒体９９を支持する支持部３２と、支持部３２に対向する第１ヒーター３３と、支持部３２に取り付けられる第２ヒーター３４とを備える。本実施形態の支持部３２は、液体を吐出された媒体９９を支持面で支持する。
【００２１】
支持部３２の支持面は、支持部３２のうち第１ヒーター３３と対向する表面である。第１ヒーター３３は、輻射ヒーターであって、媒体９９のうち、液体を吐出された第１面から媒体９９を加熱する。第２ヒーター３４は、媒体９９のうち、第１面とは反対の面である第２面から媒体９９を加熱する。
【００２２】
支持部３２は、第１支持部３６、第２支持部３７及び第３支持部３８を備える。第２支持部３７は、媒体９９の搬送方向に沿って第１支持部３６より下流に位置する。第３支持部３８は、媒体９９の搬送方向に沿って第１支持部３６より上流に位置する。第２支持部３７は、第１ヒーター３３の下流側に支持面の一部分を露出させて、第２支持部３７に支持される媒体９９を視認可能にする。第２ヒーター３４は、第２支持部３７の裏面に取り付けられている。第１支持部３６の裏面、及び、第３支持部３８の裏面には、ヒーターが取り付けられていない。なお、本実施形態においては搬送経路に沿って媒体９９が搬送される方向を、搬送方向とする。
【００２３】
第３支持部３８、第１支持部３６及び第２支持部３７は、媒体９９の搬送方向に沿って、第３支持部３８、第１支持部３６、第２支持部３７の順に並ぶ。本実施形態において、第３支持部３８は、第３支持部３８の下流端を含む一部分で第１ヒーター３３と対向する。第３支持部３８の上流端を含む一部分は、筐体１２内に位置する。
【００２４】
本実施形態において、第１支持部３６、第２支持部３７及び第３支持部３８は、例えば、アルミ材又はＳＵＳ材から構成される。アルミ材は、例えば、ＪＩＳ  Ｈ  ４０００に規定される材料である。これにより、媒体９９での温度の均一性、及び、第２ヒーター３４による媒体９９の加熱の効率を高めることができる。
【００２５】
本実施形態の第１ヒーター３３は、ヒーター管４１、ケース４２及び循環部４３を備える。ヒーター管４１は、支持部３２に支持されている媒体９９を加熱する。ケース４２は、ヒーター管４１を収容し、ケース４２の開口を支持部３２の支持面に向けている。循環部４３は、ケース４２内で気体を循環させる。
【００２６】
ヒーター管４１は、媒体９９に接触する面である支持部３２の支持面に対向する。ヒーター管４１は、媒体９９の幅方向に長尺である。ヒーター管４１は、支持部３２に支持されている媒体９９を第１面から加熱して、液体を吐出された媒体９９を乾燥する。
【００２７】
本実施形態の第１ヒーター３３は、２つのヒーター管４１を備える。２つのヒーター管４１は、延在する方向を相互に平行とした姿勢を有する。２つのヒーター管４１の延在する方向は、支持部３２の支持面と平行である。
【００２８】
循環部４３は、気体が流れる循環路４４と、循環路４４に位置するファン４５とを備える。循環路４４は、気体を取り込む吸気口４６と、気体を送り出す送風口４７とを繋ぐ流路である。循環路４４は、ヒーター管４１を囲むように延びる。吸気口４６は、第２支持部３７と対向している。送風口４７は、第３支持部３８と対向している。循環部４３は、第１ヒーター３３及び第２ヒーター３４によって加熱された気体をケース４２内で循環させて、液体を吐出された媒体９９での乾燥を促進する。
【００２９】
媒体加熱装置３１は、第１ヒーター３３が出力した熱を支持部３２に向けて反射する反射板４８を有してもよい。第１ヒーター３３により加熱される領域は、ヒーター管４１が出力した光により加熱される領域であって、第１ヒーター３３に対向する領域よりも広い。これにより、液体を吐出された媒体９９に第１ヒーター３３が出力した熱を効果的に伝えることができる。
【００３０】
なお、本実施形態における第１ヒーター３３は、支持部３２に支持される媒体９９に対向して配置されるヒーター管４１を有する構成であるが、支持部３２に支持される媒体９９を非接触で加熱できる構成であればよい。例えば、循環路４４内に加熱部が設けられ、当該加熱部によって加熱された気体が媒体９９に向けて送られる構成であってもよい。
【００３１】
本実施形態の第２ヒーター３４は、シート状の発熱体である。第２ヒーター３４は、第２支持部３７の裏面に取り付けられている。第２ヒーター３４が出力する熱は、第２支持部３７を通じて媒体９９に伝わる。これにより、液体を吐出された媒体９９が第２面から加熱される。
【００３２】
媒体加熱装置３１において、支持部３２の支持面上で搬送される媒体９９が、第１ヒーター３３の加熱によって最も高温になる位置がピーク位置１０１である。第１ヒーター３３のピーク位置１０１は、第１ヒーター３３が駆動されて、かつ、第２ヒーター３４が駆動されない状態で、媒体９９のうち最も高温になる位置である。
【００３３】
第１ヒーター３３のピーク位置１０１は、第１ヒーター３３と対向している。換言すれば、ピーク位置１０１を通る法線であって、支持部３２に支持される媒体９９の法線上に、第１ヒーター３３が位置する。第１ヒーター３３が駆動されて、かつ、第２ヒーター３４が駆動されない状態で、媒体９９の一部分である対象部分での温度は、対象部分が支持面上に搬入されてから、第１ヒーター３３のピーク位置１０１に到達するまで上がる。そして、媒体９９の対象部分での温度は、対象部分がピーク位置１０１を通り過ぎてから下がる。
【００３４】
第１ヒーター３３のピーク位置１０１は、例えば、表面に温度センサーを備えた乾燥した媒体９９を一定の速度で搬送することにより特定される。すなわち、第１ヒーター３３のピーク位置１０１は、媒体９９に備えられた温度センサーの検出した温度に基づいて特定される。本実施形態においては、第２ヒーター３４が駆動しない状態で、媒体９９を最も低い速度で搬送したときの温度センサーの検出した温度に基づいて第１ヒーター３３のピーク位置１０１は特定される。
【００３５】
媒体加熱装置３１は、媒体９９に入力する熱量と、媒体９９を加熱する時間と、によって、液体を吐出された媒体９９の乾燥具合が定まる。媒体９９を素早く乾燥するためには、媒体９９を素早く高温にするとよい。媒体９９を素早く高温にするためには、支持部３２の支持面上での温度を上げればよい。しかし、支持面上での温度が高いことに起因して媒体９９の温度が上がりすぎると、媒体９９が熱によるダメージを受けるおそれがある。そこで、媒体加熱装置３１は、媒体９９にダメージを与えない範囲の高い温度で、媒体９９を長時間にわたり加熱することが望ましい。
【００３６】
一方で、第１ヒーター３３により加熱される領域の広さには限りがあるから、媒体９９の搬送される速度が高くなると、媒体９９の搬送される方向に第１ヒーター３３の大型化が必要になる。第１ヒーター３３の下流端から巻取部１７の上流端までの範囲は、媒体９９の第１面を外部から視認できる領域であるから、媒体９９の搬送される方向に第１ヒーター３３が大型化されると、液体を吐出された媒体９９の乾燥具合を外部から把握しがたくなる。
【００３７】
図２に示すように、第１ヒーター３３により加熱される領域へ媒体９９の測定部分が入る初期時間を時間Ｔ１とする。また、第１ヒーター３３により加熱される領域に入る測定部分の時間Ｔ１での初期温度を温度Ｋ１とする。媒体９９の測定部分は、媒体９９のうち温度が測定されている一部分である。温度Ｋ１は、媒体９９の測定部分が吐出部２８の下方を通り過ぎた直後の温度である。
【００３８】
支持部３２上を搬送される測定部分での温度は、時間Ｔ１から、時間の経過とともに上昇する。媒体９９の測定部分での温度は、時間Ｔ２で最も高くなる。すなわち、媒体９９の測定部分は、時間Ｔ２に、第１ヒーター３３のピーク位置１０１に到達する。第１ヒーター３３のピーク位置１０１に到達した測定部分は、第１ヒーター３３の加熱により、最も高温である温度Ｋ２となる。
【００３９】
温度Ｋ２は、媒体９９での乾燥が促進される温度である。媒体９９での乾燥の効率を上げるためには、媒体９９の温度を素早く温度Ｋ２にまで上昇させることが求められる。一方、媒体９９の温度が温度Ｋ２を超えると、媒体９９が熱によるダメージを受けるおそれがある。
【００４０】
時間Ｔ２を経過した媒体９９の測定部分は、第２ヒーター３４により加熱される領域に入る。第２ヒーター３４により加熱される媒体９９の測定部分での温度は、温度Ｋ２から緩やかに下がりはじめる。一方で、第２ヒーター３４の駆動が停止された状態では、媒体９９の測定部分での温度が、温度Ｋ２から急に下がりはじめる。
【００４１】
図３に示すように、第２支持部３７は、第１ヒーター３３に対向する領域Ｚ１より下流の領域を含む。なお、本実施形態において、ある領域が第１ヒーター３３に対向する状態とは、当該領域内の任意の１点を通る法線であって、第２支持部３７に支持される媒体９９の法線である法線上に、第１ヒーター３３が位置する状態である。第１ヒーター３３に対向する領域Ｚ１は、媒体９９が搬送される方向において、第１ヒーター３３により加熱される領域より狭い。本実施形態において、第２支持部３７の上流端を含む一部分は、第１ヒーター３３と対向する領域Ｚ１に位置する。第２支持部３７の下流端を含む一部分は、第１ヒーター３３に対向する領域よりも下流に位置する。また、第２支持部３７の上流端を含む一部分は、第１ヒーター３３により加熱される領域に位置している。第２支持部３７の下流端を含む一部分は、第１ヒーター３３により加熱される領域よりも下流に位置している。
【００４２】
第２ヒーター３４により加熱される領域は、第２ヒーター３４そのものが占有するシート状の領域である。本実施形態において、第２ヒーター３４により加熱される領域の上流端を含む一部分は、第１ヒーター３３に対向する領域内に位置している。第２ヒーター３４により加熱される領域の下流端を含む一部分は、第１ヒーター３３に対向する領域Ｚ１よりも下流に位置している。
【００４３】
第２ヒーター３４が出力する熱は、第２支持部３７を通じて媒体９９に伝わる。第２支持部３７の上流端は、第１ヒーター３３及び第２ヒーター３４により加熱される。第２支持部３７の上流端と対向する領域での温度は、第１支持部３６と対向する領域の温度、及び、第３支持部３８と対向する領域の温度よりも高い。
【００４４】
第２ヒーター３４は、第１ヒーター３３に対向する領域Ｚ１の一部分を加熱し、さらに、第１ヒーター３３に対向する領域Ｚ１よりも下流でも、媒体９９の第２面から媒体９９を加熱する。そのため、媒体９９に入力される熱量は、第２ヒーター３４による第２面の加熱の分だけ増大する。また、第２ヒーター３４により加熱される領域が、第１ヒーター３３に対向する領域Ｚ１よりも下流に位置するため、第１ヒーター３３に対向する領域を通り過ぎた媒体９９が、第２ヒーター３４によりさらに加熱される。結果として、第１ヒーター３３により加熱された媒体９９での温度の低下が抑制される。そして、媒体９９を長時間にわたり加熱すること、及び、液体を吐出された媒体９９の乾燥具合を外部から視認できるようにすることの両立が可能となる。
【００４５】
第１ヒーター３３の加熱設定温度は、第１ヒーター３３の出力量を設定する温度である。第１ヒーター３３の加熱設定温度は、第１加熱設定温度であり、第１ヒーター３３と対向する領域の温度である。第２ヒーター３４の加熱設定温度は、第２ヒーター３４の出力量を設定する温度である。第２ヒーター３４の加熱設定温度は、第２加熱設定温度であり、第２ヒーター３４の温度である。本実施形態において、第１加熱設定温度は、第２加熱設定温度よりも高い温度である。これにより、第１面に吐出された液体を高い温度で速やかに乾燥して硬化できるため、吐出された液体が第１面で濡れ広がることに起因した印刷での品質の低下を抑制できる。
【００４６】
第２ヒーター３４により加熱される領域の全ては、第１ヒーター３３のピーク位置１０１より下流に位置している。第２ヒーター３４が出力する熱量は、媒体９９に入力される熱量をさらに増大するが、媒体９９の温度を上げすぎるおそれがある。この点、第２ヒーター３４により加熱される領域の全てが、第１ヒーター３３のピーク位置より下流に位置する構成であれば、ピーク位置１０１を通り過ぎた媒体９９が、第２ヒーター３４により加熱される領域に入る。そのため、第２ヒーター３４の加熱により媒体９９の温度が上がりすぎるおそれを低減できる。したがって、第２ヒーター３４の加熱により媒体９９が受けるダメージを低減できる。
【００４７】
次に、上記実施形態の作用及び効果について説明する。
（１）媒体９９の第１面とは反対の面である第２面を第２ヒーター３４が加熱する。そのため、媒体９９に入力される熱量は、第２ヒーター３４による第２面の加熱の分だけ増大する。この際、第２ヒーター３４により加熱される領域が、第１ヒーター３３に対向する領域Ｚ１よりも下流に位置するため、第１ヒーター３３に対向する領域Ｚ１を通り過ぎた媒体９９が、第２ヒーター３４によりさらに加熱される。結果として、第１ヒーター３３に加熱された媒体９９での温度の低下が、第２ヒーター３４による加熱によって抑制される。したがって、媒体９９を長時間にわたり加熱すること、及び、液体を吐出された媒体９９の乾燥具合を外部から視認できるようにすることの両立が可能となる。
【００４８】
（２）媒体９９の第１面が第１加熱設定温度の領域で加熱されることに続き、媒体９９の第２面が第１加熱設定温度よりも低い第２加熱設定温度の領域で加熱される。結果として、第１面に吐出された液体を高い温度で速やかに乾燥して硬化できるため、吐出された液体が第１面で濡れ広がること起因した印刷での品質の低下を抑制できる。また、第１加熱温度で乾燥した液体を低い温度で媒体９９に定着させられるため、硬化した液体が媒体から離脱することに起因した印刷での品質の低下を抑制できる。
【００４９】
（３）支持面のうち、加熱前の媒体９９が搬入され続ける領域は、低温の媒体９９による吸熱が続く領域でもある。第１加熱設定温度が第２設定温度よりも高い構成であれば、媒体９９の継続的な搬入による低温化が、第１ヒーター３３による加熱によって抑制される。それゆえに、吐出された液体が第１面で濡れ広がることを、より好適に抑制できる。
【００５０】
（４）ピーク位置１０１を通り過ぎた媒体９９が、第２ヒーター３４により加熱される領域に入る。そのため、第２ヒーター３４の加熱により媒体９９の温度が上がりすぎるおそれを低減できる。したがって、第２ヒーター３４の加熱により媒体９９が受けるダメージを低減できる。
【００５１】
（５）第２ヒーター３４により加熱される領域が、第１ヒーター３３により加熱される領域と重なるため、第１ヒーター３３により加熱された媒体９９の温度が下がりすぎるおそれを低減できる。すなわち、第１ヒーター３３の加熱による媒体９９の乾燥と、第２ヒーター３４の加熱による液体の定着とが、時間的な重なりを相互に有した一連の処理として行われる。結果として、媒体加熱装置による加熱の効率化が図られる。
【００５２】
（６）第１ヒーター３３が輻射ヒーターであるため、第１面に吐出された液体を広角度、かつ、広範囲にわたり加熱できる。結果として、液体の一部分で乾燥が遅れることに起因した濡れ広がりなどによる印刷での品質の低下を抑制できる。
【００５３】
本実施形態は、以下のように変更して実施することができる。本実施形態及び以下の変更例は、技術的に矛盾しない範囲で互いに組み合わせて実施することができる。
・第２ヒーター３４により加熱される領域の全ては、第１ヒーター３３に対向する領域Ｚ１よりも下流に変更可能である。この変更例によれば、第１ヒーター３３により加熱される領域と、第２ヒーター３４により加熱される領域との重なりが狭くなるため、媒体９９の温度が上がりすぎるおそれをさらに低減できる。したがって、第２ヒーター３４の加熱により媒体９９がダメージを受けるおそれを、さらに低減できる。
【００５４】
・第２ヒーター３４により加熱される領域は、第１ヒーター３３のピーク位置１０１を含むように変更可能である。この際、第２ヒーター３４により加熱される領域は、さらに第１ヒーター３３のピーク位置１０１より上流を含むように変更可能である。例えば、図４に示すように、第１支持部３６の裏面に、他の第２ヒーター３４を取り付けて、第２ヒーター３４，３５により加熱される領域が、第１ヒーター３３のピーク位置１０１を含むように変更可能である。
【００５５】
この変更例によれば、第１ヒーター３３の乾燥による硬化と、硬化した液体の第２ヒーター３４による定着と、を広い範囲で連続させることが可能となるため、媒体９９に定着しやすい液体が用いられる構成に好適である。
【００５６】
・第２ヒーター３４により加熱される領域は、第２支持部３７が占有する領域に変更可能である。第２支持部３７は、熱を効率的に伝達できる高い熱伝導率を有した一括りの領域である。この変更例においても、第２ヒーター３４により加熱される領域は、第１ヒーター３３のピーク位置を含むため、第１ヒーター３３の乾燥による液体の硬化と、硬化した液体の第２ヒーター３４による媒体９９への定着と、を広い範囲で連続させることが可能となる。また、第２ヒーター３４により加熱される領域の拡張が可能であるから、媒体９９をさらに長時間にわたり加熱することが可能ともなる。
【００５７】
・媒体９９は、ロール体１００から繰り出される長尺紙に限らず、単票紙でもよい。媒体９９は、用紙に限らず、布帛でもよい。
・吐出部２８が吐出する液体はインクに限らず、例えば機能材料の粒子が液体に分散又は混合されてなる液状体などでもよい。例えば、吐出部２８が液晶ディスプレイ、エレクトロルミネッセンスディスプレイ及び面発光ディスプレイの製造などに用いられる電極材又は画素材料などの材料を分散又は溶解のかたちで含む液状体を吐出してもよい。
【００５８】
以下に、上述した実施形態及び変更例から把握される技術的思想及びその作用効果を記載する。
媒体加熱装置は、支持面を有し、液体を吐出された状態で搬送される媒体を支持する支持部と、前記媒体のうち液体を吐出された第１面を加熱する第１ヒーターと、前記媒体のうち、前記第１面と反対の面である第２面を加熱する第２ヒーターと、を備え、前記第２ヒーターにより加熱される領域は、前記第１ヒーターに対向する領域よりも下流の領域を含む。
【００５９】
液体吐出装置は、支持面を有し、液体を吐出された状態で搬送される媒体を支持する支持部と、前記媒体のうち液体を吐出された第１面を加熱する第１ヒーターと、前記媒体のうち、前記第１面と反対の面である第２面を加熱する第２ヒーターと、を備え、前記第２ヒーターにより加熱される領域は、前記第１ヒーターに対向する領域よりも下流の領域を含む。
【００６０】
上記各構成によれば、第１面とは反対の面である第２面を第２ヒーターが加熱する。そのため、媒体に入力される熱量は、第２ヒーターによる第２面の加熱の分だけ増大する。この際、第２ヒーターにより加熱される領域が、第１ヒーターに対向する領域よりも下流に位置するため、第１ヒーターに対向する領域を通り過ぎた媒体が、第２ヒーターによりさらに加熱される。結果として、第１ヒーターにより加熱された媒体での温度の低下が抑制される。したがって、液体を吐出された媒体を長時間にわたり加熱すること、及び、液体を吐出された媒体の乾燥具合を外部から視認できるようにすることの両立が可能となる。
【００６１】
上記媒体加熱装置において、第１ヒーターの加熱設定温度である第１加熱設定温度は、前記第２ヒーターの加熱設定温度である第２加熱設定温度より高くてもよい。
この構成によれば、まず、液体の吐出された第１面が第１加熱設定温度の領域で加熱される。次いで、第１加熱設定温度の領域で加熱された媒体の第２面が第１加熱設定温度よりも低い第２加熱設定温度の領域で加熱される。結果として、第１面に吐出された液体を高い温度で速やかに乾燥できるため、吐出された液体が第１面で濡れ広がること起因した印刷での品質の低下を抑制できる。また、第１加熱設定温度の領域で乾燥した液体を第２加熱設定温度の領域で媒体に定着できるため、乾燥した液体が媒体から脱離することに起因した印刷での品質の低下を抑制できる。
【００６２】
また、支持面のうち、加熱前の媒体が搬入され続ける領域は、低温の媒体による吸熱が続く領域でもある。第１加熱設定温度が第２設定温度よりも高い構成であれば、媒体の継続的な搬送による低温化が、第１ヒーターによる加熱によって抑制される。それゆえに、吐出された液体が第１面で濡れ広がることを、より好適に抑制できる。
【００６３】
上記媒体加熱装置において、前記第２ヒーターにより加熱される領域は、前記第１ヒーターのピーク位置よりも下流に位置してもよい。
この構成によれば、ピーク位置を通り過ぎた媒体が、第２ヒーターにより加熱される領域に入る。そのため、第２ヒーターの加熱により媒体の温度が上がりすぎるおそれを低減できる。したがって、第２ヒーターの加熱により媒体が受けるダメージを低減できる。
【００６４】
上記媒体加熱装置において、前記第２ヒーターにより加熱される領域は、前記第１ヒーターにより加熱される領域と重なってもよい。
この構成によれば、第２ヒーターにより加熱される領域が、第１ヒーターにより加熱される領域と重なるため、第１ヒーターにより加熱された媒体の温度が下がりすぎるおそれを低減できる。すなわち、第１ヒーターの加熱による液体の乾燥と、第２ヒーターの加熱による乾燥した液体の定着とが、時間的な重なりを相互に有した一連の処理として行われる。結果として、媒体加熱装置による加熱の効率化が図られる。
【００６５】
上記媒体加熱装置において、前記第１ヒーターは輻射ヒーターであってもよい。
この構成によれば、第１面に吐出された液体を広角度、かつ、広範囲にわたり加熱できるため、液体の一部分で乾燥が遅れることに起因した濡れ広がりなどの印刷での品質の低下を抑制できる。
【符号の説明】
【００６６】
Ｚ１…領域、１１…液体吐出装置、１２…筐体、１３…基台、１４…搬送部、１６…載置部、１７…巻取部、１８…テンションバー、２１…第１支持台、２２…第２支持台、２５…第１ローラー、２６…第２ローラー、２８…吐出部、２９…キャリッジ、３１…媒体加熱装置、３２…支持部、３３…第１ヒーター、３４…第２ヒーター、３６…第１支持部、３７…第２支持部、３８…第３支持部、４１…ヒーター管、４２…ケース、４３…循環部、４４…循環路、４５…ファン、４６…吸気口、４７…送風口、４８…反射板、９９…媒体、１００…ロール体、１０１…ピーク位置。
【図１】
2020121498.tif 000003
【図２】
2020121498.tif 000004
【図３】
2020121498.tif 000005
【図４】
2020121498.tif 000006